(57)【特許請求の範囲】
【請求項１】
２部材間の隙間を封止する密封装置において、
３枚以上のＮ枚の金属製のガスケットが重ねられることにより構成される密封装置であって、
複数個所でガスケット同士が固定されることにより、前記Ｎ枚の金属製のガスケット同士が固定されると共に、
各箇所において互いに固定されるガスケットの枚数は、いずれの箇所においても（Ｎ−１）以下であり、かつ、前記Ｎが５以上の場合、互いに固定されるガスケットの枚数は４以下であることを特徴とする密封装置。
【請求項２】
ガスケット同士が互い固定される各箇所の部位について、ガスケットが重ねられる方向にそれぞれ見た場合に、ガスケット同士が固定される部位の領域の範囲内には、互いに固定されるガスケット以外のガスケットが存在していないことを特徴とする請求項１に記載の密封装置。
【請求項３】
ガスケット同士が互い固定される各箇所の部位について、ガスケットが重ねられる方向にそれぞれ見た場合に、ガスケット同士が固定される部位の領域の範囲内には、互いに固定されるガスケット以外のガスケットが存在していないように、これら互いに固定されるガスケット以外のガスケットの側壁面にそれぞれ凹部が形成されていることを特徴とする請求項１に記載の密封装置。
【発明の詳細な説明】
【技術分野】
【０００１】
本発明は、複数枚の金属製のガスケットが重ねられることにより構成される密封装置に関する。
【背景技術】
【０００２】
２部材間の隙間を封止する密封装置において、複数枚の金属製のガスケットが重ねられることにより構成される密封装置が知られている。このような密封装置においては、複数枚の金属製のガスケットは、スポット溶接や、リベット又はハトメによる加締めによって固定される。
【０００３】
スポット溶接による固定の場合、溶接時に発生するスパッタが、ガスケットとガスケットとの間に挟まったまま残ってしまうと密封性に悪影響が出てしまう。このような問題は、重ねるガスケットの枚数が多い程より顕著になってしまう。また、重ねるガスケットの枚数が多い程、溶接するのに必要な設備が大型化するだけでなく、スパッタがより発生し易い状況となってしまう。リベット又はハトメによる加締めの場合においても、重ねるガスケットの枚数が多いと、設備が大型化するだけでなく、加締め不良が発生し易くなってしまう。加締め不良が発生した場合においても、密封性に悪影響が出てしまう。
【先行技術文献】
【特許文献】
【０００４】
【特許文献１】特開平１１−２３０３５３号公報
【発明の概要】
【発明が解決しようとする課題】
【０００５】
本発明の目的は、重ねるガスケットの枚数が多くても、ガスケット同士を固定するための設備が大型化してしまうことを抑制することができ、かつ安定的に密封性能が発揮される密封装置を提供することにある。
【課題を解決するための手段】
【０００６】
本発明は、上記課題を解決するために以下の手段を採用した。
【０００７】
すなわち、本発明の密封装置は、
２部材間の隙間を封止する密封装置において、
３枚以上のＮ枚の金属製のガスケットが重ねられることにより構成される密封装置であ
って、
複数個所でガスケット同士が固定されることにより、前記Ｎ枚の金属製のガスケット同士が固定されると共に、
各箇所において互いに固定されるガスケットの枚数は、いずれの箇所においても（Ｎ−１）以下であり、かつ、前記Ｎが５以上の場合、互いに固定されるガスケットの枚数は４以下であることを特徴とする。
【０００８】
本発明においては、３枚以上のＮ枚の金属製のガスケットが重ねられることにより構成される密封装置においても、各箇所で互いに固定されるガスケットの枚数が、いずれの箇所においても、（Ｎ−１）以下に抑えられている。これにより、ガスケット同士を固定させるための設備の大型化を抑制することができる。また、多数のガスケット同士を固定させた場合に発生し易い不具合を抑制することができる。
【０００９】
ここで、ガスケット同士が互い固定される各箇所の部位について、ガスケットが重ねら
れる方向にそれぞれ見た場合に、ガスケット同士が固定される部位の領域の範囲内には、互いに固定されるガスケット以外のガスケットが存在していないとよい。
【００１０】
例えば、ガスケット同士が互い固定される各箇所の部位について、ガスケットが重ねられる方向にそれぞれ見た場合に、ガスケット同士が固定される部位の領域の範囲内には、互いに固定されるガスケット以外のガスケットが存在していないように、これら互いに固定されるガスケット以外のガスケットの側壁面にそれぞれ凹部が形成されているとよい。
【００１１】
これにより、各箇所でガスケット同士を固定させる際に、互いに固定されるガスケット以外のガスケットによって、固定作業が妨げられてしまうことを抑制することができる。
【００１３】
なお、上記各構成は、可能な限り組み合わせて採用し得る。
【発明の効果】
【００１４】
以上説明したように、本発明によれば、重ねるガスケットの枚数が多くても、ガスケット同士を固定するための設備が大型化してしまうことを抑制することができ、かつ安定的に密封性能を発揮させることができる。
【図面の簡単な説明】
【００１５】
【図１】図１は本発明の実施例に係る密封装置が使用された密封構造の外観図である。
【図２】図２は本発明の実施例１に係る密封装置の平面図である。
【図３】図３は本発明の実施例１に係る密封装置の側面図である。
【図４】図４は本発明の実施例１に係る密封装置を構成する金属製のガスケットの平面図である。
【図５】図５は本発明の実施例１に係る密封装置を構成する金属製のガスケットの平面図である。
【図６】図６は本発明の実施例１に係る密封装置を構成する金属製のガスケットの平面図である。
【図７】図７は本発明の実施例２に係る密封装置の平面図である。
【図８】図８は本発明の実施例２に係る密封装置の側面図である。
【図９】図９は本発明の実施例２に係る密封装置を構成する金属製のガスケットの平面図である。
【図１０】図１０は本発明の実施例２に係る密封装置を構成する金属製のガスケットの平面図である。
【図１１】図１１は本発明の実施例２に係る密封装置を構成する金属製のガスケットの平面図である。
【図１２】図１２は本発明の実施例２に係る密封装置を構成する金属製のガスケットの平面図である。
【発明を実施するための形態】
【００１６】
以下に図面を参照して、この発明を実施するための形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。本発明に係る密封装置は、自動車に備えられる装置（例えば、内燃機関に備えられるエキゾーストマニホールド）など、各種装置において、２部材間の隙間を封止するために用いることができる。以下の実施例では、２つの配管同士の接続部
を封止するために密封装置が用いられる場合を例にして説明する。
【００１７】
（実施例１）
図１〜図６を参照して、本発明の実施例１に係る密封装置について説明する。図１は本発明の実施例に係る密封装置が使用された密封構造の外観図である。図２は本発明の実施例１に係る密封装置の平面図である。図３は本発明の実施例１に係る密封装置の側面図であり、図２中矢印Ｖ方向に密封装置を見た図である。図４〜図６は本発明の実施例１に係る密封装置を構成する金属製のガスケットの平面図である。
【００１８】
＜密封構造＞
図１を参照して、本実施例に係る密封装置１００が使用された密封構造について説明する。本実施例に係る密封装置１００は、２つの配管（以下、説明の便宜上、それぞれ第１配管２１０、第２配管２２０と称する。）同士の接続部を封止するために用いられている。すなわち、第１配管２１０及び第２配管２２０には、それぞれフランジ部２１１，２２１が設けられている。そして、これらのフランジ部２１１，２２１の間に密封装置１００が挟み込まれた状態で、ボルトなどの固定具３００によって、フランジ部２１１，２２１同士が固定されることで、第１配管２１０と第２配管２２０が固定される。これにより、第１配管２１０と第２配管２２０とを接続する部分の隙間から配管内の流体が外部に漏れ出してしまうことが抑制され、かつ外部から配管内に異物が混入してしまうことが抑制される。
【００１９】
＜密封装置＞
図２〜図６を参照して、本実施例に係る密封装置１００の構成について説明する。本実施例に係る密封装置１００は、３枚以上のＮ枚（本実施例では、Ｎ＝６）の金属製のガスケットが重ねられることにより構成される。そして、本実施例に係る密封装置１００においては、複数個所でガスケット同士が固定されることにより、Ｎ枚の金属製のガスケット同士が固定されている。また、各箇所において互いに固定されるガスケットの枚数は、いずれの箇所においても（Ｎ−１）以下となっている。以下、より詳細に説明する。また、以下、説明の便宜上、図３において、上から１枚目と２枚目のガスケットを第１ガスケット１１０と称し、上から３枚目と４枚目のガスケットを第２ガスケット１２０と称し、上から５枚目と６枚目のガスケットを第３ガスケット１３０と称する。図４は第１ガスケット１１０の平面図であり、図５は第２ガスケット１２０の平面図であり、図６は第３ガスケット１３０の平面図である。なお、図４〜図６に示すガスケットは、いずれも図３において、上からガスケットを見た図に相当する。
【００２０】
第１ガスケット１１０，第２ガスケット１２０、及び第３ガスケット１３０には、いずれも、中央部に貫通孔１１１，１２１，１３１が設けられている。これらの貫通孔１１１，１２１，１３１は配管内を流れる流体の通路としての役割を担っている。また、本実施例に係る第１ガスケット１１０，第２ガスケット１２０、及び第３ガスケット１３０には、貫通孔１１１，１２１，１３１を囲うように、それぞれビード１１２，１２２，１３２が形成されている。なお、これらのビード１１２，１２２，１３２については、ハーフビードやフルビードなど、各種公知技術を採用できる。また、ビードの個数については、特に限定されることはなく、ビードを２重以上設けても良い。また、隣接するガスケット同士のうち、一方にのみビードを設ける構成を採用する場合、複数のガスケットのうちのいずれかについては、ビードが設けられないガスケットを用いることも可能である。ビード自体については、公知技術であるので、その詳細な説明は省略するが、ビードは、突出部により構成されており、隣接する相手側のガスケットに突出部の先端が突き当たり、ピーク面圧を高めることで、密封性を高める機能が発揮される。また、第１ガスケット１１０，第２ガスケット１２０、及び第３ガスケット１３０には、それぞれ、固定具３００が挿通される貫通孔１１３，１２３，１３３が４隅に設けられている。
【００２１】
そして、第１ガスケット１１０の側壁面には、図４中、左右一対の凹部１１４が形成されている。これらの凹部１１４は、第１ガスケット１１０の側壁面において、図３においては中心よりも右側に、図４においては中心よりも上側に偏った位置に形成されている。また、第３ガスケット１３０の側壁面には、図６中、左右一対の凹部１３４が形成されている。これらの凹部１３４は、第３ガスケット１３０の側壁面において、図３においては中心よりも左側に、図６においては中心よりも下側に偏った位置に形成されている。
【００２２】
そして、本実施例に係る密封装置１００においては、４個所（図２中左側の２箇所と右側の２箇所）でガスケット同士が固定されることにより、６枚の金属製のガスケット同士が固定されている。各箇所の固定部位について、特に、図３を参照して説明する。なお、図３においては、図２中右側から見た側面図を示しているが、図２中の左側の固定部位の構成についても、右側と同一である。
【００２３】
本実施例においては、２枚の第１ガスケット１１０と２枚の第２ガスケット１２０がスポット溶接により互いに固定される箇所と、２枚の第２ガスケット１２０と２枚の第３ガスケット１３０がスポット溶接により互いに固定される箇所が存在する。以下、説明の便宜上、前者の固定箇所を第１固定箇所、後者の固定箇所を第２固定箇所と称する。なお、スポット溶接ではなく、リベット又はハトメによる加締めによって、ガスケット同士を互いに固定してもよい。
【００２４】
第１固定箇所においては、図３中、溶接部Ｘ１，Ｘ２，Ｘ３によって、それぞれガスケット同士が固定されている。第２固定箇所においては、図３中、溶接部Ｙ１，Ｙ２，Ｙ３によって、それぞれガスケット同士が固定されている。このように、第１固定箇所において互いに固定されるガスケットの枚数と、第２固定箇所において互いに固定されるガスケットの枚数は、いずれも４枚となっている。
【００２５】
そして、ガスケット同士が互い固定される各箇所の部位について、ガスケットが重ねられる方向にそれぞれ見た場合に、ガスケット同士が固定される部位の領域の範囲内には、互いに固定されるガスケット以外のガスケットが存在していない。本実施例の場合には、第１ガスケット１１０の側壁面に形成された凹部１１４と、第３ガスケット１３０の側壁面に形成された凹部１３４によって、これを実現している。
【００２６】
つまり、第１固定箇所について、ガスケットが重ねられる方向に見た場合に、溶接部Ｘ１，Ｘ２，Ｘ３の領域の範囲内には、互いに固定されるガスケット（２枚の第１ガスケット１１０と２枚の第２ガスケット１２０）以外のガスケット（２枚の第３ガスケット１３０）が存在しないように、２枚の第３ガスケット１３０の側壁面にそれぞれ凹部１３４が形成されている（図２参照）。また、第２固定箇所について、ガスケットが重ねられる方向に見た場合に、溶接部Ｙ１，Ｙ２，Ｙ３の領域の範囲内には、互いに固定されるガスケット（２枚の第２ガスケット１２０と２枚の第３ガスケット１３０）以外のガスケット（２枚の第１ガスケット１１０）が存在しないように、２枚の第１ガスケット１３０の側壁面にそれぞれ凹部１１４が形成されている（図２参照）。
【００２７】
＜本実施例に係る密封装置の優れた点＞
本実施例においては、３枚以上のＮ枚（具体的には６枚）の金属製のガスケットが重ねられることにより構成される密封装置１００においても、各箇所で互いに固定されるガスケットの枚数が、いずれの箇所においても、（Ｎ−１）以下（具体的には４枚）に抑えられている。これにより、ガスケット同士を固定させるための設備の大型化を抑制することができる。また、多数のガスケット同士を固定させた場合に発生し易い不具合を抑制することができる。つまり、スポット溶接によりガスケット同士を固定させる場合には、スパ
ッタの発生を抑制することができる。これにより、ガスケット間にスパッタが挟まったままになってしまうことを抑制することができる。従って、安定的に密封性能を発揮させることができる。また、リベット又はハトメによる加締めによりガスケット同士を固定させる場合においても、加締め不良の発生を抑制することができる。従って、この場合にも、安定的に密封性能を発揮させることができる。
【００２８】
また、本実施例においては、上記の通り、ガスケット同士が互い固定される各箇所の部位について、ガスケットが重ねられる方向にそれぞれ見た場合に、ガスケット同士が固定される部位の領域の範囲内には、互いに固定されるガスケット以外のガスケットが存在していない。従って、各箇所でガスケット同士を固定させる際に、互いに固定されるガスケット以外のガスケットによって、固定作業が妨げられてしまうことを抑制することができる。なお、ガスケット同士を固定する部位の形状が、ガスケット毎に異なっていることから、ガスケットが誤った順番で重ねられてしまうことを抑制できるといった効果も得られる。
【００２９】
（実施例２）
図７〜図１２には、本発明の実施例２が示されている。なお、密封装置の用途、及び密封構造については、実施例１で説明した通りであるので、その説明は省略する。図７は本発明の実施例２に係る密封装置の平面図である。図８は本発明の実施例２に係る密封装置の側面図であり、図７中矢印Ｖ方向に密封装置を見た図である。図９〜図１２は本発明の実施例２に係る密封装置を構成する金属製のガスケットの平面図である。
【００３０】
本実施例に係る密封装置１００Ｘは、３枚以上のＮ枚（本実施例では、Ｎ＝６）の金属製のガスケットが重ねられることにより構成される。そして、本実施例に係る密封装置１００Ｘにおいては、複数個所でガスケット同士が固定されることにより、Ｎ枚の金属製のガスケット同士が固定されている。また、各箇所において互いに固定されるガスケットの枚数は、いずれの箇所においても（Ｎ−１）以下となっている。以下、より詳細に説明する。また、以下、説明の便宜上、図８において、上から１枚目と３枚目のガスケットを第４ガスケット１４０と称し、上から２枚目のガスケットを第５ガスケット１５０と称し、上から４枚目と６枚目のガスケットを第６ガスケット１６０と称し、上から５枚目のガスケットを第７ガスケット１７０と称する。図９は第４ガスケット１４０の平面図であり、図１０は第５ガスケット１５０の平面図であり、図１１は第６ガスケット１６０の平面図であり、図１２は第７ガスケット１７０の平面図である。なお、図９〜図１２に示すガスケットは、いずれも図８において、上からガスケットを見た図に相当する。
【００３１】
第４ガスケット１４０，第５ガスケット１５０，第６ガスケット１６０、及び第７ガスケット１７０には、いずれも、中央部に貫通孔１４１，１５１，１６１，１７１が設けられている。これらの貫通孔１４１，１５１，１６１，１７１は配管内を流れる流体の通路としての役割を担っている。また、本実施例に係る第４ガスケット１４０，第５ガスケット１５０，第６ガスケット１６０、及び第７ガスケット１７０には、貫通孔１４１，１５１，１６１，１７１を囲うように、それぞれビード１４２，１５２，１６２，１７２が形成されている。なお、ビードについては、上記実施例１で説明した通りであるので、その説明は省略する。また、第４ガスケット１４０，第５ガスケット１５０，第６ガスケット１６０、及び第７ガスケット１７０には、それぞれ、固定具３００が挿通される貫通孔１４３，１５３，１６３，１７３が４隅に設けられている。
【００３２】
そして、第４ガスケット１４０の側壁面には、図９中、左右一対の凹部１４４が形成されている。これらの凹部１４４は、第４ガスケット１４０の側壁面において、図８においては中心部を含み左側に偏った位置に、図９においては中心部を含み下側に偏った位置に形成されている。また、第５ガスケット１５０の側壁面には、図１０中、左右一対の凹部
１５４が形成されている。これらの凹部１５４は、第５ガスケット１５０の側壁面において、図８においては中心よりも左側に、図１０においては中心よりも下側に偏った位置に形成されている。第６ガスケット１６０の側壁面には、図１１中、左右一対の凹部１６４が形成されている。これらの凹部１６４は、第６ガスケット１６０の側壁面において、図８においては中心部を含み右側に偏った位置に、図１１においては中心部を含み上側に偏った位置に形成されている。また、第７ガスケット１７０の側壁面には、図１２中、左右一対の凹部１７４が形成されている。これらの凹部１７４は、第７ガスケット１７０の側壁面において、図８においては中心よりも右側に、図１２においては中心よりも上側に偏った位置に形成されている。
【００３３】
そして、本実施例に係る密封装置１００Ｘにおいては、６個所（図７中左側の３箇所と右側の３箇所）でガスケット同士が固定されることにより、６枚の金属製のガスケット同士が固定されている。各箇所の固定部位について、特に、図８を参照して説明する。なお、図８においては、図７中右側から見た側面図を示しているが、図７中の左側の固定部位の構成についても、右側と同一である。
【００３４】
本実施例においては、１枚の第５ガスケット１５０と、これを挟み込むように配置される２枚の第４ガスケット１４０がスポット溶接により互いに固定される箇所と、１枚の第７ガスケット１７０と、これを挟み込むように配置される２枚の第６ガスケット１６０がスポット溶接により互いに固定される箇所と、１枚の第５ガスケット１５０と１枚の第７ガスケット１７０がスポット溶接により互いに固定される箇所が存在する。以下、説明の便宜上、それぞれ固定箇所を、順に、第１固定箇所、第２固定箇所、第３固定箇所と称する。なお、本実施例においても、スポット溶接ではなく、リベット又はハトメによる加締めによって、ガスケット同士を互いに固定してもよい。
【００３５】
第１固定箇所においては、図８中、溶接部Ｘ４，Ｘ５によって、それぞれガスケット同士が固定されている。第２固定箇所においては、図８中、溶接部Ｙ４，Ｙ５によって、それぞれガスケット同士が固定されている。第３固定箇所においては、図８中、溶接部Ｚによって、それぞれガスケット同士が固定されている。第１固定箇所において互いに固定されるガスケットの枚数と、第２固定箇所において互いに固定されるガスケットの枚数は、いずれも３枚となっている。また、第３固定箇所において互いに固定されるガスケットの枚数は２枚となっている。
【００３６】
そして、ガスケット同士が互い固定される各箇所の部位について、ガスケットが重ねられる方向にそれぞれ見た場合に、ガスケット同士が固定される部位の領域の範囲内には、互いに固定されるガスケット以外のガスケットが存在していない。本実施例の場合には、第４ガスケット１４０の側壁面に形成された凹部１４４と、第５ガスケット１５０の側壁面に形成された凹部１５４と、第６ガスケット１６０の側壁面に形成された凹部１６４と、第７ガスケット１７０の側壁面に形成された凹部１７４とによって、これを実現している。
【００３７】
つまり、第１固定箇所について、ガスケットが重ねられる方向に見た場合に、溶接部Ｘ４，Ｘ５の領域の範囲内には、互いに固定されるガスケット（１枚の第５ガスケット１５０と、これを挟み込むように配置される２枚の第４ガスケット１４０）以外のガスケット（１枚の第７ガスケット１７０と、これを挟み込むように配置される２枚の第６ガスケット１６０）が存在しないように、第７ガスケット１７０の側壁面と、２枚の第６ガスケット１６０の側壁面にそれぞれ凹部１７４，１６４が形成されている。また、第２固定箇所について、ガスケットが重ねられる方向に見た場合に、溶接部Ｙ４，Ｙ５の領域の範囲内には、互いに固定されるガスケット（１枚の第７ガスケット１７０と、これを挟み込むように配置される２枚の第６ガスケット１６０）以外のガスケット（１枚の第５ガスケット
１５０と、これを挟み込むように配置される２枚の第４ガスケット１４０）が存在しないように、第５ガスケット１５０の側壁面と、２枚の第４ガスケット１４０の側壁面にそれぞれ凹部１５４，１４４が形成されている。更に、第３固定箇所について、ガスケットが重ねられる方向に見た場合に、溶接部Ｚの領域の範囲内には、互いに固定されるガスケット（１枚の第５ガスケット１５０と１枚の第７ガスケット１７０）以外のガスケット（２枚の第４ガスケット１４０と２枚の第６ガスケット１６０）が存在しないように、２枚の第４ガスケット１４０の側壁面と、２枚の第６ガスケット１６０の側壁面にそれぞれ凹部１４４，１６４が形成されている。
【００３８】
以上のように構成される本実施例に係る密封装置１００Ｘにおいても、上記実施例１の場合と同様の効果を得ることができる。
【００３９】
（その他）
上記各実施例においては、３枚以上のＮ枚の金属製のガスケットが重ねられることにより構成される密封装置について、Ｎ＝６の場合を示したが、本発明においては、Ｎ＝６に限定されることはない。なお、Ｎが５以上の場合、互いに固定されるガスケットの枚数は４以下とするのが望ましい。これにより、ガスケット同士を固定させるための設備の大型化をより確実に抑制することができ、また、多数のガスケット同士を固定させた場合に発生し易い不具合をより確実に抑制することができる。
【００４０】
また、上記各実施例においては、「ガスケット同士が互い固定される各箇所の部位について、ガスケットが重ねられる方向にそれぞれ見た場合に、ガスケット同士が固定される部位の領域の範囲内には、互いに固定されるガスケット以外のガスケットが存在していない」といった目的を達成するために、これら互いに固定されるガスケット以外のガスケットの側壁面にそれぞれ凹部を形成させる構成を示した。
【００４１】
しかしながら、本発明においては、上記のような目的を達成するために、互いに固定されるガスケット以外のガスケットの側壁面にそれぞれ凹部を形成させる構成に限定されることはない。例えば、互いに固定されるガスケットに対して、それぞれ外側に突出する突出部を設けて、突出部同士を固定させることによっても、上記の目的を達成することが可能である。
【符号の説明】
【００４２】
１００，１００Ｘ  密封装置
１１０  第１ガスケット
１２０  第２ガスケット
１３０  第３ガスケット
１４０  第４ガスケット
１５０  第５ガスケット
１６０  第６ガスケット
１７０  第７ガスケット
１１１，１２１，１３１，１４１，１５１，１６１，１７１  貫通孔
１１２，１２２，１３２，１４２，１５２，１６２，１７２  ビード
１１３，１２３，１３３，１４３，１５３，１６３，１７３  貫通孔
１１４，１２４，１３４，１４４，１５４，１６４，１７４  凹部
２１０  第１配管
２２０  第２配管
２１１，２２１  フランジ部
３００  固定具
Ｘ１，Ｘ２，Ｘ３，Ｘ４，Ｘ５  溶接部
Ｙ１，Ｙ２，Ｙ３，Ｙ４，Ｙ５  溶接部
Ｚ  溶接部
【図１】
0006722457.tif 000002
【図２】
0006722457.tif 000003
【図３】
0006722457.tif 000004
【図４】
0006722457.tif 000005
【図５】
0006722457.tif 000006
【図６】
0006722457.tif 000007
【図７】
0006722457.tif 000008
【図８】
0006722457.tif 000009
【図９】
0006722457.tif 000010
【図１０】
0006722457.tif 000011
【図１１】
0006722457.tif 000012
【図１２】
0006722457.tif 000013